(57)【要約】 【課題】  遊技球の転動を妨害することなく、磁石の接近を確実に検出することができるパチンコ機の可変入賞装置を提供する。【解決手段】  入賞口２７は、各可動片２１ａ，２１ｂが駆動されることによって、大きさが変化する。各可動片２１ａ，２１ｂの後方には、取付基板２３が設けられる。取付基板２３には、入賞口２７に入った遊技球が通過する通過孔３０が形成される。このような取付基板２３は、遊技盤１０の前面３２に取り付けられる。案内体２２は、取付基板２３の前方に設けられ、入賞口２７に入った遊技球を通過孔３０に案内する。このような案内体２２は、底部２９を有する。案内体２２の底部２９は、各可動片２１ａ，２１ｂの下方に設けられる。案内体２２の底部２９には、内部空間３６が形成される。この内部空間３６には、磁界を検出する磁気センサ６が収容される。【選択図】      図１
2008264093.tif 000002
【特許請求の範囲】
【請求項１】
上方に臨んで開放される入賞口を形成し、前記入賞口の大きさが変化するように駆動される一対の可動片と、
各可動片の後方に設けられ、前記入賞口に入った遊技球が通過する通過孔が形成され、遊技盤の前面に取り付けられる取付基板と、
取付基板の後方に設けられ、各可動片を駆動する駆動手段と、
取付基板の前方に設けられ、前記入賞口に入った遊技球を前記通過孔に案内する案内体であって、内部空間が形成され、各可動片の下方に設けられる底部を有する案内体と、
案内体の底部の前記内部空間に収容され、磁界を検出する磁気センサとを含むことを特徴とするパチンコ機の可変入賞装置。
【発明の詳細な説明】
【技術分野】
【０００１】
本発明は、パチンコ機の可変入賞装置に関する。
【背景技術】
【０００２】
パチンコ機に対する不正行為として、磁石を用いて、遊技球を入賞口などに誘導するという行為がある。特許文献１，２には、このような不正行為を防ぐための技術が開示される。
【０００３】
特許文献１に開示される技術では、入賞口の近傍に、磁気センサであるリードスイッチが設けられ、リードスイッチによる検出結果に基づいて、警報器から警報が発生される。リードスイッチは、役物の中および裏パックの内側などに取り付けられる。
【０００４】
特許文献２に開示される技術では、入賞口の近傍に、フォトカプラ式磁気センサが設けられ、フォトカプラ式磁気センサによる検出結果に基づいて、警報器から警報が発生される。フォトカプラ式磁気センサは、遊技盤に設けた嵌合溝および裏パックの凹所などに取り付けられる。
【０００５】
【特許文献１】特開２００５−１３７８７７号公報
【特許文献２】実用新案登録第３０９５０９９号公報
【発明の開示】
【発明が解決しようとする課題】
【０００６】
磁石を用いた不正行為の対象となり易いのは、たとえば第１種タイプおよび第２種タイプの始動入賞装置である。したがって磁石を用いた不正行為を効果的に検出するためには、始動入賞装置の近傍に磁気センサを設けることが好ましい。この点を考慮した上で、さらに磁気センサの取り付けの容易性をも考慮すると、始動入賞装置に磁気センサを搭載することが好ましい。
【０００７】
磁石を用いた不正行為では、始動入賞装置の入賞口に遊技球を誘導するにあたって、遊技盤の遊技領域を覆う透明な窓板に対して遊技盤とは反対側から磁石を接近させる。そして遊技盤と窓板との間を転動している遊技球に、磁石による磁力を作用させて、前記遊技球を入賞口に誘導する。この点を考慮すると、磁石を用いた不正行為を確実に検出するためには、磁気センサを窓板に近接した位置に配置させることが好ましい。
【０００８】
始動入賞装置は、たとえば可変入賞装置によって実現される。可変入賞装置は、遊技盤の前面に取り付けられる取付基板と、取付基板の前方で取付基板に支持されて入賞口を形成する一対の可動片とを有し、各可動片が駆動されることで入賞口の大きさが変化する。このような可変入賞装置において、前述の要求を満たすために、取付基板から前方に突出するように磁気センサを設けて、窓板の近くに磁気センサを配置させることが考えられる。磁気センサを設けるにあたっては、磁気センサが遊技球の転動を妨害しないようにする必要がある。
【０００９】
本発明の目的は、遊技球の転動を妨害することなく、磁石の接近を確実に検出することができるパチンコ機の可変入賞装置を提供することである。
【課題を解決するための手段】
【００１０】
本発明では、一対の可動片は、上方に臨んで開放される入賞口を形成する。前記入賞口は、各可動片が駆動されることによって、大きさが変化する。取付基板は、各可動片の後方に設けられる。取付基板には、前記入賞口に入った遊技球が通過する通過孔が形成される。このような取付基板は、遊技盤の前面に取り付けられる。取付基板の後方には、各可動片を駆動する駆動手段が設けられる。
【００１１】
案内体は、取付基板の前方に設けられ、前記入賞口に入った遊技球を前記通過孔に案内する。このような案内体は、底部を有する。案内体の底部は、各可動片の下方に設けられる。このような案内体の底部には、内部空間が形成される。この内部空間には、磁界を検出する磁気センサが収容される。
【００１２】
本発明に従えば、駆動手段によって、各可動片が駆動され、これによって前記入賞口の大きさが変化する。前記入賞口に入った遊技球は、案内体によって前記通過孔に案内され、前記通過孔を通過して、取付基板の後方に導かれる。
【００１３】
案内体の底部には、内部空間が形成され、この内部空間に磁気センサが収容される。したがって磁気センサを、遊技球が直接に衝突することがない位置で、かつ、遊技盤の遊技領域を覆う透明な窓板に対して可及的に近接した位置に、配置することができる。そのため、遊技球の転動を妨害することなく、磁石の接近を確実に検出することができる。そして、磁気センサによる検出結果を利用することによって、不正行為を確実に防ぐことができる。
【発明を実施するための最良の形態】
【００１４】
図１は、本発明の実施の一形態のパチンコ機の可変入賞装置１を示す側面図である。図２は、パチンコ機の可変入賞装置１の斜視図である。本実施の形態のパチンコ機の可変入賞装置（以下、単に「可変入賞装置」という）１は、大当たりという遊技者に有利な状態になったときに一度に多くの入賞球が得られるパチンコ機において、始動入賞装置として用いられる。可変入賞装置１は、チューリップ形である。可変入賞装置１は、一対の可動片２１ａ，２１ｂと、取付基板２３と、駆動手段（図９および図１０を参照）４０と、案内体２２と、磁気センサ６とを含む。
【００１５】
図３は、パチンコ機の遊技盤１０の正面図である。遊技盤１０は、ガイドレール１１に囲まれる遊技領域１２を有する。遊技領域１２に対する遊技球の流入は、遊技領域１２の左上部から行われるようになっている。遊技領域１２に流入した遊技球は、遊技領域１２を下方に転動する。
【００１６】
遊技領域１２の中央部には、図柄および数字などが変動表示される演出表示装置１３が設けられる。遊技領域１２の下部には、始動入賞口が形成される始動入賞装置１４と、始動入賞装置１４の下方に配置され、大入賞口が形成される大入賞装置１５とが設けられる。始動入賞装置１４は、遊技球が入り難い状態と遊技球が入り易い状態とに切換え可能に構成される。大入賞装置１５は、遊技球が入らない状態と遊技球が入る状態とに切換え可能に構成される。遊技領域１２には、通過チャッカー１６がさらに設けられる。
【００１７】
始動入賞装置１４の始動入賞口に遊技球が入ると、演出表示装置１３に表示される図柄および数字などの変動が開始される。この後、図柄および数字などの変動が停止される。このときの図柄および数字などの組み合わせが、特定の組み合わせ、たとえば「７，７，７」になった場合、すなわち大当たりになった場合、大入賞装置１５は、遊技球が入らない状態から遊技球が入る状態に切換わり、遊技球が入る状態が所定回数だけ繰り返されて一度に多くの入賞球を得ることができる。また通過チャッカー１６を遊技球が通過すると、始動入賞装置１４は、遊技球が入り難い状態から遊技球が入り易い状態に切換わり、遊技球が入り易い状態が数秒間だけ維持される。
【００１８】
図４は、可変入賞装置１の正面図である。図５は、図４の切断面線Ｓ５−Ｓ５から見た断面図である。本実施の形態では、一対の可動片２１ａ，２１ｂと取付基板２３と案内体２２とによって、入賞口形成部２が構成される。このような入賞口形成部２は、非磁性材料から成る。
【００１９】
各可動片２１ａ，２１ｂは、取付基板２３の前方で取付基板２３に支持される。各可動片２１ａ，２１ｂは、前後方向Ａおよび上下方向Ｂに関して同一の位置に配置され、かつ、左右方向Ｃに離間して配置される。各可動片２１ａ，２１ｂは、前後方向Ａに延びる角変位軸線Ｌ１ａ，Ｌ１ｂまわりに角変位可能に設けられる基部２４と、基部２４に連なり、前記角変位軸線Ｌ１ａ，Ｌ１ｂから離反するように延びる延在部２５とを有する。各可動片２１ａ，２１ｂの基部２４の角変位軸線Ｌ１ａ，Ｌ１ｂは、上下方向Ｂに関する位置が同一であり、かつ、左右方向Ｃに関して離間する。各可動片２１ａ，２１ｂの延在部２５の遊端部２６は、上方に臨んで開放される入賞口２７を形成する。入賞口２７は、始動入賞口となる。
【００２０】
取付基板２３は、各可動片２１ａ，２１ｂの後方に設けられる。取付基板２３には、入賞口２７に入った遊技球が通過する通過孔３０が形成される。また取付基板２３には、入賞口２７に入った遊技球を通過孔３０に案内する案内片３１が形成される。このような取付基板２３は、遊技盤１０の前面３２に取り付けられる。
【００２１】
案内体２２は、取付基板２３の前方に設けられる。案内体２２は、各可動片２１ａ，２１ｂの前方に設けられる前板部２８と、前板部２８の下部に連なり、各可動片２１ａ，２１ｂの下方に設けられる底部２９とを有する。底部２９は、取付基板２３に連結される。このような案内体２２は、入賞口２７から通過孔３０までの遊技球の通路を形成し、入賞口２７に入った遊技球を通過孔３０に案内する。
【００２２】
このような入賞口形成部２は、各可動片２１ａ，２１ｂが駆動されること、具体的には各可動片２１ａ，２１ｂが前記角変位軸線Ｌ１ａ，Ｌ１ｂまわりに角変位駆動されることによって、入賞口２７の大きさが変化する。これによって入賞口形成部２は、遊技球が入り難い状態（以下「第１状態」という）と遊技球が入り易い状態（以下「第２状態」という）とに切換えられる。第１状態では、各可動片２１ａ，２１ｂは、その延在部２５が互いに近接するように、起立する。第２状態では、各可動片２１ａ，２１ｂは、その延在部２５が互いに離反するように、傾倒する。入賞口２７に入った遊技球は、案内体２２によって通過孔３０に案内され、通過孔３０を通過して、取付基板２３の後方に導かれる。
【００２３】
可変入賞装置１は、前後方向Ａに垂直な投影面に平行投影したとき、後述の電磁駆動源３、駆動力伝達機構部４、支持部５、磁気センサ６およびセンサ保持部７の各投影領域が、入賞口形成部２の取付基板２３の投影領域に含まれるように、構成される。このように可変入賞装置１が構成されるので、可変入賞装置１を小形化することができ、既存の遊技盤１０に好適に取り付けることができる。
遊技盤１０には、その厚み方向に貫通する貫通孔が形成される。遊技盤１０に可変入賞装置１を着脱するにあたっては、遊技盤１０の前方側から、取付基板２３よりも後方の部分を前記貫通孔３３に対して挿抜する。
【００２４】
図６は、案内体２２を斜め後方から見た図である。図７は、案内体２２を後方から見た図である。図８は、図７の切断面線Ｓ８−Ｓ８から見た断面図である。
【００２５】
案内体２２の前板部２８には、後方に突出する一対のピン３５ａ，３５ｂが形成される。各ピン３５ａ，３５ｂは、前記角変位軸線Ｌ１ａ，Ｌ１ｂと同軸である。各可動片２１ａ，２１ｂの基部２４には、ピン３５ａ，３５ｂが挿通される挿通孔が形成される。各可動片２１ａ，２１ｂの基部２４の挿通孔に案内体２２の前板部２８の各ピン３５ａ，３５ｂが挿通されることによって、各可動片２１ａ，２１ｂが案内体２２に対して前記角変位軸線Ｌ１ａ，Ｌ１ｂまわりに角変位可能となる。
【００２６】
案内体２２の底部２９には、内部空間３６が形成される。内部空間３６は、入賞口形成部２の入賞口２７に対して遊技盤１０の前面側からの正面視で左にずれた位置に配置される。内部空間３６は、前後方向Ａに延びて後方に開放される。内部空間３６の前方は、案内体２２の前板部２８によって閉塞される。このような内部空間３６は、磁気センサ６を嵌め込むことができるように形成される。内部空間３６には、磁気センサ６の長手方向一端部寄りの部分が収容される。
【００２７】
取付基板２３には、磁気センサ６が挿通される挿通孔３７が形成される。挿通孔３７は、取付基板２３において案内体２２の底部２９に対向する部分３８に形成される。挿通孔３７は、案内体２２の底部２９の内部空間３６に連通する。
【００２８】
図９は、駆動手段４０の動作を説明するための斜視図であり、図９（ａ）は第１状態を示し、図９（ｂ）は第２状態を示す。図１０は、駆動手段４０の動作を説明するための側面図であり、図１０（ａ）は第１状態を示し、図１０（ｂ）は第２状態を示す。図５をも参照して、駆動手段４０は、取付基板２３の後方に設けられ、各可動片２１ａ，２１ｂを駆動する。このような駆動手段４０は、電磁駆動源３と、駆動力伝達機構部４とを有する。
【００２９】
電磁駆動源３は、取付基板２３の後方で、入賞口２７に対して遊技盤１０の前面側からの正面視で右にずれた位置に配置される。電磁駆動源３は、各可動片２１ａ，２１ｂを、電磁力による駆動力によって駆動させる。電磁駆動源３は、電磁ソレノイドによって実現される。本実施の形態では、電磁駆動源３は、いわゆるオープンフレームタイプの電磁ソレノイドによって実現される。
【００３０】
電磁駆動源３は、前後方向Ａに進退可能に設けられる駆動力取出軸であるプランジャ４１と、プランジャ４１が挿入される挿入孔４２が形成されるボビン４３と、ボビン４３に巻回される電磁力発生部であるソレノイドコイル４４と、ボビン４３に固定され、ソレノイドコイル４４を外方に設けられるフレーム４５と、プランジャ４１を元の位置に戻すための戻しばね４６とを有する。
【００３１】
プランジャ４１は、磁性材料から成る。プランジャ４１は、プランジャ本体４７と、プランジャ本体４７の先端部に連なり、プランジャ本体４７と同軸に設けられる頭部４８とを有する。頭部４８の直径は、プランジャ本体４７の直径よりも大きい。ボビン４３の挿入孔４２には、プランジャ本体４７の後端部寄りの部分４７ａが挿入される。
【００３２】
フレーム４５は、磁性材料から成る。フレーム４５は、ソレノイドコイル４４による磁束の経路の一部を形成する。フレーム４５は、ソレノイドコイル４４の前方に設けられる第１部材４９と、第１部材４９に連結され、ソレノイドコイル４４の後方およびソレノイドコイル４４の側方に設けられる第２部材５０とを有する。第１部材４９には、プランジャ４１が挿通される挿通孔５１が形成される。第２部材５０は、上方に臨んで開放され、かつ、下方に臨んで開放される。
【００３３】
戻しばね４６は、圧縮コイルばねによって実現される。戻しばね４６には、プランジャ４１のプランジャ本体４７が挿通される。戻しばね４６は、プランジャ４１の頭部４８とフレーム４５の第１部材４９との間に介在する。このような戻しばね４６は、プランジャ４１をフレーム４５に対して前方に付勢する。
【００３４】
このような電磁駆動源３では、ソレノイドコイル４４への通電で発生する電磁力によってプランジャ４１を作動させる。ソレノイドコイル４４が非通電状態から通電状態に切換えられると、ソレノイドコイル４４が励磁され、これによってプランジャ４１は、戻しばね４６の付勢力に抗して後退する。ソレノイドコイル４４が通電状態から非通電状態に切換えられると、ソレノイドコイル４４が消磁され、これによってプランジャ４１は、戻しばね４６の付勢力によって前進する。
【００３５】
駆動力伝達機構部４は、取付基板２３と電磁駆動源３との間に介在し、各可動片２１ａ，２１ｂと電磁駆動源３のプランジャ４１とを作動連結する。このような駆動力伝達機構部４は、電磁駆動源３の駆動力を各可動片２１ａ，２１ｂに伝達する。
【００３６】
駆動力伝達機構部４は、非磁性材料から成る。駆動力伝達機構部４は、電磁駆動源３に連結され、前後方向Ａにスライド変位可能に設けられるスライド部材６１と、スライド部材６１と各可動片２１ａ，２１ｂとに連結され、左右方向Ｃに延びる角変位軸線Ｌ２まわりに角変位可能に設けられる角変位部材６２とを有する。
【００３７】
スライド部材６１は、プランジャ４１の頭部４８に連結される連結部６３と、連結部６３の上部に連なり、前方に延びる一対の延在部６４ａ，６４ｂとを有する。スライド部材６１の各延在部６４ａ，６４ｂは、左右方向Ｃに離間する。角変位部材６２は、前記角変位軸線Ｌ２まわりに角変位可能に設けられる基部６５と、基部６５に連なり、前方に延びる一対の延在部６６ａ，６６ｂとを有する。角変位部材６２の各延在部６６ａ，６６ｂは、左右方向Ｃに離間する。
【００３８】
スライド部材６１の各延在部６４ａ，６４ｂには、上下方向Ｂに貫通する係合孔６７が形成される。角変位部材６２の基部６５の上部には、スライド部材６１の各延在部６４ａ，６４ｂの係合孔６７に係合する係合突起６８が形成される。角変位部材６２の基部６５の各係合突起６８がスライド部材６１の各延在部６４ａ，６４ｂの係合孔６７に係合することによって、スライド部材６１から角変位部材６２に駆動力を伝達することができる。
【００３９】
各可動片２１ａ，２１ｂの基部２４には、後方に突出する作動ピン６９が形成される。各作動ピン６９は、各可動片２１ａ，２１ｂの基部２４の角変位軸線Ｌ１ａ，Ｌ１ｂ間に配置される。各作動ピン６９は、取付基板２３の通過孔３０を介して、取付基板２３の後方に突出する。角変位部材６２の各延在部６６ａ，６６ｂの遊端部には、作動ピン６９に係合する係合凹所７０が形成される。各可動片２１ａ，２１ｂの基部２４の作動ピン６９が角変位部材６２の各延在部６６ａ，６６ｂの遊端部の係合凹所７０に係合することによって、角変位部材６２から各可動片２１ａ，２１ｂに駆動力を伝達することができる。
【００４０】
第１状態において、電磁駆動源３のプランジャ４１が後退すると、スライド部材６１が後退する。スライド部材６１が後退すると、角変位部材６２が角変位して角変位部材６２の各延在部６６ａ，６６ｂの遊端部が上昇する。角変位部材６２の各延在部６６ａ，６６ｂの遊端部が上昇すると、各作動ピン６９が上昇され、これによって各可動片２１ａ，２１ｂが角変位して各可動片２１ａ，２１ｂが傾倒して、第２状態となる。
【００４１】
第２状態において、電磁駆動源３のプランジャ４１が前進すると、スライド部材６１が前進する。スライド部材６１が前進すると、角変位部材６２が角変位して角変位部材６２の各延在部６６ａ，６６ｂの遊端部が下降する。角変位部材６２の各延在部６６ａ，６６ｂの遊端部が下降すると、各作動ピン６９が下降され、これによって各可動片２１ａ，２１ｂが角変位して各可動片２１ａ，２１ｂが起立して、第１状態となる。
【００４２】
図５を再び参照して、可変入賞装置１は、支持部５をさらに含む。支持部５は、非磁性材料から成る。支持部５は、入賞口形成部２、電磁駆動源３および駆動力伝達機構部４をそれぞれ支持して一体化する。支持部５は、駆動力伝達機構部４を収容する。支持部５は、駆動力伝達機構部４のスライド部材６１をスライド変位可能に支持し、駆動力伝達機構部４の角変位部材６２を角変位可能に支持する。支持部５の前方の端部７１には、取付基板２３が連結される。支持部５の後方の端部７２には、電磁駆動源３のフレーム４５が連結される。
【００４３】
支持部５の下部には、遊技球を検出する検出スイッチ７３が設けられる。支持部５の下部には、検出スイッチ７３を通過した遊技球が排出される排出孔７４が形成される。支持部５の内部には、遊技球の通路が形成される。遊技球の通路は、取付基板２３の通過孔３０に連通するとともに、支持部５の下部の排出孔７４に連通する。
【００４４】
図１１は、磁気センサ６を模式的に示す図である。磁気センサ６は、磁界を検出する磁界検出素子１０１と、磁界検出素子１０１を収容するケーシング１０２とを有する。
【００４５】
磁界検出素子１０１は、リードスイッチによって実現される。磁界検出素子１０１は、磁性材料から成る一対のリード片１０３ａ，１０３ｂと、各リード片１０３ａ，１０３ｂの接点を包囲して封止するガラス管１０４とを有する。各リード片１０３ａ，１０３ｂが磁界によって磁化されると、磁力によって各リード片１０３ａ，１０３ｂの接点が閉じてオン状態となる。磁界が除かれると、各リード片１０３ａ，１０３ｂの弾性によって各リード片１０３ａ，１０３ｂの接点が開いてオフ状態となる。
【００４６】
ケーシング１０２は、非磁性材料から成る。ケーシング１０２は、長手形状に形成される。ケーシング１０２の長手方向は、ガラス管内で各リード片１０３ａ，１０３ｂが延びる方向と略平行である。
【００４７】
磁界検出素子１０１に磁石が接近すると、磁界検出素子１０１は、オフ状態からオン状態になる。磁界検出素子１０１による検出結果は、検出回路に与えられる。検出回路は、磁界検出素子１０１による検出結果に基づいて、磁石の接近を検出する。検出回路による検出結果は、制御回路に与えられる。制御回路は、検出回路によって磁石の接近が検出されると、たとえば警報器から警報を発生させる。
【００４８】
図１を再び参照して、磁気センサ６は、案内体２２の底部２９の内部空間３６に収容される。磁気センサ６は、そのケーシング１０２の長手方向が前後方向Ａと一致するようにして配置される。磁気センサ６は、取付基板２３の挿通孔３７を介して、取付基板２３の後方に突出する。磁気センサ６のケーシング１０２は、案内体２２の前板部２８と電磁駆動源３のソレノイドコイル４４との前後方向Ａの間に収まる。磁気センサ６は、遊技盤１０の前面側からの正面視で駆動力伝達機構部４の左側方に配置される。
【００４９】
可変入賞装置１は、センサ保持部７をさらに含む。センサ保持部７は、磁気センサ６の長手方向他端部寄りの部分を支持部５の外方で着脱可能に保持する。センサ保持部７は、支持部５において取付基板２３の後方でかつ駆動力伝達機構部４の側方に設けられる。本実施の形態では、センサ保持部７は、支持部５において取付基板２３の後方でかつ遊技盤１０の前面側からの正面視で駆動力伝達機構部４の左側方に設けられる。
【００５０】
センサ保持部７は、支持部５の左下部７５に連なり、磁気センサ６を上方および右方から支持する支持台と、磁気センサ６を下方から係止する下方係止片７６と、磁気センサ６を左方から係止する左方係止片７８とを有する。左方係止片７８には、磁気センサ６を後方から係止する後方係止爪７９が形成される。
【００５１】
図１２は、磁気センサ６の検出領域８１を模式的に示す側面図である。図１３は、窓板８３の前面８４上での検出範囲を模式的に示す正面図である。磁気センサ６の検出領域８１に磁石が侵入すると、検出回路によって磁石の接近が検出される。このような磁気センサ６の検出領域８１は、磁石の強さが大きいほど、大きくなる。磁気センサ６の検出領域８１は、磁気センサ６の前方寄りの端部８２から前方に向かうにつれて、前後方向Ａに垂直な断面の面積が大きくなり、前記断面の面積が最大になった後でさらに前方に向かうにつれて、前記断面の面積が小さくなる。
【００５２】
遊技盤１０の前方には、ガラスから成る透明な窓板８３が設けられる。窓板８３は、遊技盤１０と略平行に配置され、遊技盤１０の遊技領域１２を覆う。窓板８３の前面８４が、磁気センサ６の検出領域８１よりも前方に位置する場合、窓板８３の前面８４上に磁石が接近しても、この磁石の接近を検出することができない。
【００５３】
窓板８３の前面８４が、磁気センサ６の検出領域８１の前方寄りに位置する場合、窓板８３の前面８４上での検出範囲は、図１３において仮想線１１１で示す内側の円で囲まれる範囲となる。したがって前記検出範囲を十分に確保することができない。
【００５４】
窓板８３の前面８４が、磁気センサ６の検出領域８１において前後方向Ａ中央付近に位置する場合、窓板８３の前面８４上での検出範囲は、図１３において実線１１２で示す外側の円で囲まれる範囲となる。したがって磁気センサ６の検出領域８１の前方寄りに位置する場合に比べて、前記検出範囲を大きく確保することができる。
【００５５】
図１４は、磁気センサ６と電磁駆動源３との位置関係を説明するための平面図である。図１５は、磁気センサ６と電磁駆動源３との位置関係を説明するための側面図である。電磁駆動源３のソレノイドコイル４４を通電状態にすると、電磁駆動源３の周囲には磁界が発生する。電磁駆動源３に近接した位置に磁気センサ６が配置される場合、電磁駆動源３のソレノイドコイル４４が発生する電磁力による影響で、磁石の接近について誤検出が生じるおそれがある。誤検出が生じると、磁石が接近していないにも拘わらず、警報器から警報が発生されてしまう。
【００５６】
磁気センサ６のケーシング１０２の長手方向を電磁駆動源３のプランジャ４１の軸線方向と一致させ、この状態で、磁気センサ６を電磁駆動源３に前方から近付ける。磁気センサ６の電磁駆動源３側の端部８６には、基準点Ｐが設定される。この基準点Ｐがプランジャ４１の近傍領域８７に到達すると、電磁駆動源３のソレノイドコイル４４が発生する電磁力による影響で、磁石の接近について誤検出が生じてしまう。
【００５７】
この点を踏まえて、磁気センサ６の電磁駆動源３側の端部が電磁駆動源３のプランジャ４１の近傍領域８７から外れるように、磁気センサ６と電磁駆動源３との位置関係が決定される。したがって電磁駆動源３のソレノイドコイル４４が発生する電磁力による影響少なく、磁石の接近を検出することができる。
【００５８】
以上のような本実施の形態によれば、案内体２２の底部２９には、内部空間３６が形成され、この内部空間に磁気センサ６が収容される。したがって磁気センサ６を、遊技球が直接に衝突することがない位置で、かつ、窓板８３に対して可及的に近接した位置に、配置することができる。そのため、遊技球の転動を妨害することなく、磁石の接近を確実に検出することができる。そして、磁気センサ６による検出結果を利用して、たとえば警報器から警報を発生させることによって、不正行為を確実に防ぐことができる。
【００５９】
また本実施の形態によれば、支持部５にはセンサ保持部７が設けられ、このセンサ保持部７によって磁気センサ６が保持される。したがって磁気センサ６を遊技盤１０などに別途に取り付けるのに比べて、パチンコ機の組立性を向上させることができる。
【００６０】
さらに本実施の形態によれば、センサ保持部７は、支持部５において駆動力伝達機構部４の側方に設けられる。これによって、たとえば既存の可変入賞装置の構造、特に駆動力伝達機構部４の構造を大きく変更することなく、既存の可変入賞装置に磁界検出機能を付加することができる。
【００６１】
さらに本実施の形態によれば、センサ保持部７は、磁気センサ６の長手方向他端部寄りの部分を支持部５の外方で着脱可能に保持する。これによって、たとえば磁気センサ６に不具合が発生しても、可変入賞装置１を大きく分解することなく、磁気センサ６を着脱して、磁気センサ６を交換することができる。したがって磁気センサ６を可変入賞装置１に搭載したことによるメンテナンス性の低下がない。
【００６２】
さらに本実施の形態によれば、磁気センサ６は、電磁駆動源３のソレノイドコイル４４よりも前方、詳しくはソレノイドコイル４４に対して前方に離間した位置に配置される。これによってソレノイドコイル４４が発生する電磁力の影響少なく、磁石の接近を検出することができる。換言すれば、磁石の接近について誤検出を防ぐことができる。
【００６３】
さらに本実施の形態によれば、遊技盤１０の前面側からの正面視で駆動力伝達機構部４の左側方に、磁気センサ６が配置される。これによって、磁石を用いた不正行為を、効果的に検出することができる。
【００６４】
遊技領域１２には、この遊技領域１２の左上部から遊技球が流入する。不正行為の対象となり易い可変入賞装置１は、遊技領域１２において左右方向Ｃの中央寄りでかつ上下方向Ｂの下方寄りに配置される。磁石を用いた不正行為には、遊技領域１２の左側に遊技球を集中させて、可変入賞装置１に対して左側で磁石による磁力を遊技球に作用させて前記遊技球を入賞口２７に誘導するという事例が多い。この点を踏まえて、前述のように磁気センサ６が配置され、これによって前述の効果が達成される。
【００６５】
さらに本実施の形態によれば、入賞口２７に対して正面視で左にずれた位置に、磁気センサ６が配置されるうえに、入賞口２７に対して正面視で右にずれた位置に、電磁駆動源３が配置される。これによって磁気センサ６とソレノイドコイル４４との間の距離を大きく確保することができる。したがって磁石の接近について誤検出をより確実に防ぐことができる。
【００６６】
前述の実施の形態は、本発明の例示に過ぎず、本発明の範囲内において構成を変更することができる。たとえば、磁界検出素子１０１として、ホール素子および磁気抵抗素子などの磁電変換素子が用いられてもよい。
【００６７】
前述の実施の形態から把握できる技術的思想について以下に記載する。
（１）前記駆動手段は、
取付基板の後方に設けられ、電磁力発生部および駆動力取出軸を有し、電磁力発生部への通電で発生する電磁力によって駆動力取出軸を作動させる電磁駆動源と、
各可動片と電磁駆動源の駆動力取出軸とを作動連結する駆動力伝達機構部とを備え、
前記磁気センサは、遊技盤の前面側からの正面視で駆動力伝達機構部の左側方に配置されることを特徴とする請求項１に記載のパチンコ機の可変入賞装置。
【００６８】
このような本発明によれば、磁石を用いた不正行為では、可変入賞装置１に対して左側で磁石による磁力を遊技球に作用させることが多いという点を考慮して、遊技盤の前面側からの正面視で駆動力伝達機構部の左側方に、磁気センサが配置される。したがって磁石を用いた不正行為を、効果的に検出することができる。
【００６９】
（２）前記駆動手段は、
取付基板の後方に設けられ、電磁力発生部および駆動力取出軸を有し、電磁力発生部への通電で発生する電磁力によって駆動力取出軸を作動させる電磁駆動源と、
各可動片と電磁駆動源の駆動力取出軸とを作動連結する駆動力伝達機構部とを備えるパチンコ機の可変入賞装置であって、
取付基板、電磁駆動源および駆動力伝達機構部をそれぞれ支持して一体化する支持部と、
支持部において取付基板の後方でかつ駆動力伝達機構部の側方に設けられ、磁気センサを支持部の外方で着脱可能に保持するセンサ保持部とをさらに含み、
前記磁気センサは、長手方向一端部寄りの部分が案内体の底部の内部空間に収容され、長手方向他端部寄りの部分がセンサ保持部によって保持されることを特徴とする請求項１に記載のパチンコ機の可変入賞装置。
【００７０】
このような本発明によれば、センサ保持部は、磁気センサの長手方向他端部寄りの部分を支持部の外方で着脱可能に保持する。これによって、たとえば磁気センサに不具合が発生しても、可変入賞装置を大きく分解することなく、磁気センサを着脱して、磁気センサを交換することができる。したがって磁気センサを可変入賞装置に搭載したことによるメンテナンス性の低下がない。
【図面の簡単な説明】
【００７１】
【図１】本発明の実施の一形態のパチンコ機の可変入賞装置１を示す側面図。
【図２】パチンコ機の可変入賞装置１の斜視図。
【図３】パチンコ機の遊技盤１０の正面図。
【図４】可変入賞装置１の正面図。
【図５】図４の切断面線Ｓ５−Ｓ５から見た断面図。
【図６】案内体２２を斜め後方から見た図。
【図７】案内体２２を後方から見た図。
【図８】図７の切断面線Ｓ８−Ｓ８から見た断面図。
【図９】駆動手段４０の動作を説明するための斜視図。
【図１０】駆動手段４０の動作を説明するための側面図。
【図１１】磁気センサ６を模式的に示す図。
【図１２】磁気センサ６の検出領域８１を模式的に示す側面図。
【図１３】窓板８３の前面８４上での検出範囲を模式的に示す正面図。
【図１４】磁気センサ６と電磁駆動源３との位置関係を説明するための平面図。
【図１５】磁気センサ６と電磁駆動源３との位置関係を説明するための側面図。
【符号の説明】
【００７２】
１…パチンコ機の可変入賞装置、６…磁気センサ、２１ａ，２１ｂ…可動片、２２…案内体、２３…取付基板、４０…駆動手段
【図１】
2008264093.tif 000003
【図２】
2008264093.tif 000004
【図３】
2008264093.tif 000005
【図４】
2008264093.tif 000006
【図５】
2008264093.tif 000007
【図６】
2008264093.tif 000008
【図７】
2008264093.tif 000009
【図８】
2008264093.tif 000010
【図９】
2008264093.tif 000011
【図１０】
2008264093.tif 000012
【図１１】
2008264093.tif 000013
【図１２】
2008264093.tif 000014
【図１３】
2008264093.tif 000015
【図１４】
2008264093.tif 000016
【図１５】
2008264093.tif 000017